(57)【特許請求の範囲】
【請求項１】
媒体からの反射光に応じたＲＦ信号からミラー検出信号を生成するミラー検出信号生成回路であって、
上記ＲＦ信号のボトムレベルを第１の減衰速度で保持してボトム保持信号を出力する第１のピーク保持回路と、
上記ＲＦ信号のトップレベルを第２の減衰速度で保持して第１のエンベロープ信号を出力する第２のピーク保持回路と、
上記ＲＦ信号のボトムレベルを第３の減衰速度で保持して第２のエンベロープ信号を出力する第３のピーク保持回路と、
媒体の種類に応じた増幅率で増幅する第１の増幅器を含み、上記ボトム保持信号と上記第１のエンベロープ信号とに基づいて生成した第１の基準信号を出力する第１の基準信号生成回路と、
上記第２のエンベロープ信号を媒体の種類に応じた増幅率で増幅する第２の増幅器と、
上記第１の増幅器から供給される上記第１の基準信号と上記第２の増幅器から供給される上記第２のエンベロープ信号とを比較してミラー検出信号を生成する第１の比較回路と、
を有するミラー検出信号生成回路。
【請求項２】
上記第１の基準信号生成回路が上記ボトム保持信号と上記第１のエンベロープ信号との分圧電圧を生成して上記第１の増幅器に供給する第１の分圧回路を更に含む、請求項１に記載のミラー検出信号生成回路。
【請求項３】
上記第１の基準信号生成回路が上記第１の増幅器の出力信号に所定のオフセット電圧を与えるオフセット回路を更に含む、請求項２に記載のミラー検出信号生成回路。
【請求項４】
上記第２のエンベロープ信号に対して所定の信号処理を施して上記第２の増幅器に供給するフィルタを更に有する、請求項１、２又は３に記載のミラー検出信号生成回路。
【請求項５】
上記ＲＦ信号のトップレベルを第４の減衰速度で保持してトップ保持信号を出力する第４のピーク保持回路と、
媒体の種類に応じた増幅率で増幅する第３の増幅器を含み、上記トップ保持信号と上記ボトム保持信号とに基づいて生成した第２の基準信号を出力する第２の基準信号生成回路と、
上記第１のエンベロープ信号を媒体の種類に応じた増幅率で増幅する第４の増幅器と、
上記第３の増幅器から供給される上記第２の基準信号と上記第４の増幅器から供給される上記第１のエンベロープ信号とを比較して欠陥検出信号を生成する第２の比較回路と、
を更に有する、請求項１乃至４の何れかに記載のミラー検出信号生成回路。
【請求項６】
上記第２の基準信号生成回路が上記トップ保持信号と上記ボトム保持信号との分圧電圧を生成して上記第３の増幅器に供給する第２の分圧回路を更に含む、請求項５に記載のミラー検出信号生成回路。
【請求項７】
上記欠陥検出信号が出力されると上記第１の減衰速度が速められる、請求項６に記載のミラー検出信号生成回路。
【請求項８】
上記媒体がＣＤ又はＤＶＤである、請求項１乃至７の何れかに記載のミラー検出信号生成回路。
【発明の詳細な説明】
【０００１】
【発明の属する技術分野】
本発明は、光記録媒体の再生時に光ピックアップで読み出されるＲＦ信号の振幅変動から光記録媒体のミラー部分を検出するためのミラー検出信号生成回路に関するものである。
【０００２】
【従来の技術】
ＣＤ（Compact Disc）やＤＶＤ（Digital Versatile Disk）などのディスク型の光記録媒体（以降、光ディスクと呼ぶ）には、記録データに応じた長さを持つピットと呼ばれる細長い凸部が、レーザー光が照射されるディスクの記録面に多数形成されている。ピットは、データの記録順序に応じて記録面の中心から外周方向に列をなしてスパイラル状に配列されており、光ディスクから記録データが読み出される場合、このピット列上にレーザー光が照射される。照射されたレーザーの反射光の強度は、レーザー光のスポットがピット上にある場合に弱くなり、ピット以外の平坦面部にある場合に強くなる。フォトダイオードのような光検出器によってこうした反射光強度の強弱が電気信号に変換されることにより、光ディスクに記録された情報が電気的に再生される。光検出器から反射光強度に応じて出力される電気信号は、ピットの有無に応じた高い周波数で変調されているためＲＦ信号とも呼ばれている。
【０００３】
また、このスパイラル状に並んだピット列の１周分はトラックと呼ばれており、ＣＤやＤＶＤなどの光ディスク再生装置には、このトラックを飛び越して記録データを再生する機能が備わっている。テープ型の記録媒体に比べて飛び越し再生が高速であることが、ディスク型光記録媒体の１つの特徴となっている。
【０００４】
トラックを飛び越して光ディスクの所望の位置に記録された情報を再生させるためには、レーザー光のスポットが現在どのトラック上にあり、そのトラックから何本目に飛び越し先のトラックがあるかを把握する必要がある。一般の光ディスク再生装置には、光スポットがトラック上にあるか、またはトラック以外の平坦なミラー部分にあるかを検出するミラー検出回路とよばれる回路が備わっており、レーザー光のスポットがトラックを横切る際に、このミラー検出回路によって交互に検出されるトラック部分とミラー部分との数を計数することによって、移動したトラックの数が把握される。
【０００５】
【発明が解決しようとする課題】
図５は、従来のミラー検出回路および欠陥検出回路の構成例を示す概略的なブロック図である。
図５に示すミラー検出回路２００ａは、ピークホールド回路１０２〜ピークホールド回路１０４、分圧回路１０６、オフセット回路１０７およびコンパレータ１０９を有する。また、図５に示す欠陥検出回路２００ｂは、ピークホールド回路１０１、分圧回路１０５およびコンパレータ１０８を有し、ピークホールド回路１０２およびピークホールド回路１０３をミラー検出回路２００ａと共用している。
【０００６】
ピークホールド回路１０１〜ピークホールド回路１０４は、光検出器において電気信号に変換されたＲＦ信号Ｓrfの最大のピークレベル（以降、トップレベルと呼ぶ）または最小のピークレベル（以降、ボトムレベルと呼ぶ）を保持する回路である。ピークホールド回路１０１およびピークホールド回路１０２は、ＲＦ信号Ｓrfのトップレベルを保持し、ピークホールド回路１０３およびピークホールド回路１０４はＲＦ信号Ｓrfのボトムレベルを保持する。
【０００７】
また、ピークホールド回路の保持レベルが時間の経過とともに減衰する速度を示すドループレート（droop rate）は、ピークホールド回路ごとに個別に設定されており、このドループレートの値によって各ピークホールド回路に保持される信号の性質が異なっている。
ピークホールド回路１０１は、ＲＦ信号Ｓrfのトップレベルを一定に保持したトップホールド信号Ｓthを出力するために比較的遅いドループレートを設定されている。例えば１[msec/V]程度のドループレートが設定されている。
ピークホールド回路１０２は、ＲＦ信号Ｓrfのトップレベルが描くエンベロープ（envelope）に応じたトップエンベロープ信号Ｓteを出力するために、ピークホールド回路１０１より速いドループレートが設定されいる。例えば１００[usec/V]程度のドループレートが設定されている。
ピークホールド回路１０３は、ＲＦ信号Ｓrfのボトムレベルを一定に保持したボトムホールド信号Ｓbhを出力するために比較的遅いドループレートが設定されている。例えば１０[msec/V]程度のドループレートが設定されている。
ピークホールド回路１０４は、ＲＦ信号Ｓrfのボトムレベルが描くエンベロープに応じたボトムエンベロープ信号Ｓbeを出力するために、ピークホールド回路１０２やピークホールド回路１０３より速いドループレートが設定されている。例えば、１０[usec/V]程度のドループレートが設定されている。
【０００８】
分圧回路１０５は、ピークホールド回路１０１のトップホールド信号Ｓthとピークホールド回路１０３のボトムホールド信号Ｓbhとを所定の割合で分圧した欠陥検出しきい信号Ｓdtを、コンパレータ１０８の正側端子に入力する。
分圧回路１０６は、ピークホールド回路１０２のトップエンベロープ信号Ｓteとピークホールド回路１０３のボトムホールド信号Ｓbhとを所定の割合で分圧した信号を、オフセット回路１０７に入力する。
オフセット回路１０７は、分圧回路１０６から出力される分圧信号に所定のオフセットを付加し、これをミラー検出しきい信号Ｓmtとしてコンパレータ１０９の負側端子に入力する。
【０００９】
コンパレータ１０８およびコンパレータ１０９は、正側端子に入力される信号レベルと負側レベルに入力される信号レベルの大きさを比較し、正側端子の信号レベルが負側端子に比べて大きい場合に論理値’１’の信号を出力し、小さい場合に論理値’０’を出力する。
コンパレータ１０８は、トップエンベロープ信号Ｓteが上述の欠陥検出しきい信号Ｓmdよりも小さくなった場合に、光ディスク上の欠陥の検出を知らせる論理値’１’の欠陥検出信号Ｓdを出力する。
コンパレータ１０９は、ボトムエンベロープ信号Ｓbeが上述のミラー検出しきい信号Ｓmtよりも大きい場合に、ミラー部分の検出を知らせる論理値’１’のミラー検出信号Ｓmを出力する。
【００１０】
次に、上述した構成を有するミラー検出回路２００ａおよび欠陥検出回路２００ｂの動作について説明する。
図６は、図５に示すミラー検出回路２００ａの動作を説明するための波形図である。図の縦軸は信号レベルを、横軸は時間をそれぞれ示す。
図６ａはＲＦ信号Ｓrfの波形例を示している。図６ｂは、図６ａのＲＦ信号Ｓrfがピークホールド回路１０２〜ピークホールド回路１０４によってピークホールドされたトップエンベロープ信号Ｓte、ボトムホールド信号Ｓbh、およびボトムエンベロープ信号Ｓbeと、上述のミラー検出しきい信号Ｓmtの波形例を示している。図６ｃは、コンパレータ１０９から出力されるミラー検出信号Ｓmの波形例を示している。
【００１１】
光検出器から出力されるＲＦ信号Ｓrfは、図６ａに示すように光スポットがトラック上にある場合とトラック間のミラー部分にある場合とで、信号の振幅が異なっている。
光スポットがトラック上にある場合は、図６ａのピーク位置Ｐ４に示すようにＲＦ信号Ｓrfの振幅が大きくなる。これは、光スポットがピット上にある場合とピットを外れた部分にある場合とで反射光強度の差が大きくなるためである。また光スポットがピットの真上にある場合に反射光強度がＲＦ信号Ｓrfの最小レベルになるため、この場合にＲＦ信号Ｓrfのボトムレベルが最低となる。
逆に、光スポットがトラック間のミラー部分にある場合は、図６ａのピーク位置Ｐ３に示すようにＲＦ信号Ｓrfの振幅が小さくなるとともに、ボトムレベルが高くなっている。これは、ミラー部分にピットがなく反射光強度が大きくなるためである。ただし、通常の光ディスク再生装置では、光スポットがミラー部の中心にある場合にも隣接するトラックにその一部が重なっており、重なり部分において反射光強度が変調されるため、図６ａに示すようにミラー部のピーク位置Ｐ３においてもＲＦ信号Ｓrfに高周波の変調成分が残っている。
【００１２】
図６ｂに示すように、トップエンベロープ信号Ｓteは、ＲＦ信号Ｓrfのトップレベルのエンベロープに応じた波形を有し、ボトムエンベロープ信号Ｓbeは、ＲＦ信号Ｓrfのボトムレベルのエンベロープに応じた波形を有している。また、ボトムホールド信号Ｓbhは、ＲＦ信号Ｓrfのボトムレベルが保持された波形を有している。
ミラー検出しきい信号Ｓmtは、このトップエンベロープ信号Ｓteとボトムホールド信号Ｓbhとが分圧回路１０６において分圧され、オフセット回路１０７において所定のオフセットを与えられた信号であり、トップエンベロープ信号Ｓteとボトムホールド信号Ｓbhとの間の一定割合の信号レベルを有している。図６ｂの例では、ボトムエンベロープ信号Ｓbeの山と谷のほぼ中間の信号レベルを有している。
ミラー検出信号Ｓmは、ボトムエンベロープ信号Ｓbeとミラー検出しきい信号Ｓmtとがコンパレータ１０９において比較された信号であり、図６ｃの例では、ボトムエンベロープ信号Ｓbeの信号レベルがミラー検出しきい信号Ｓmtを上回る場合にハイレベル（論理値’１’）、下回る場合にローレベル（論理値’０’）となっている。
【００１３】
指紋などの汚れによって反射光強度が低下している光ディスク上の領域を光スポットが通過する場合、図６ａの期間Ｔ１に示すように、ＲＦ信号Ｓrfの全体の振幅が小さくなる。このとき、トップエンベロープ信号Ｓteとボトムエンベロープ信号Ｓbeの振幅が相対的に同じ割合で小さくなるため、ミラー検出しきい信号Ｓmtの信号レベルも同様の割合で小さくなる。すなわち、汚れによる反射光強度の低下によってボトムエンベロープ信号Ｓbeの振幅が小さくなる場合にも、この振幅減少と同様な割合でミラー検出しきい信号Ｓmtのレベルが小さくなってミラー検出が可能になるので、ディスク面の汚れに対するミラー検出感度の低下が抑止されている。
【００１４】
図７は、図５に示す欠陥検出回路２００ｂの動作を説明するための波形図である。図の縦軸は信号レベルを、横軸は時間をそれぞれ示す。
図７ａはＲＦ信号Ｓrfの波形例を示している。図７ｂは、図７ａのＲＦ信号Ｓrfがピークホールド回路１０１〜ピークホールド回路１０３によってピークホールドされたトップホールド信号Ｓth、トップエンベロープ信号Ｓteおよびボトムホールド信号Ｓbhと、上述の欠陥検出しきい信号Ｓdtの波形例を示している。また図７ｃは、コンバレータ１０８から出力される欠陥検出信号Ｓdの波形例を示している。
【００１５】
図７ａの期間Ｔ２において、傷やゴミなどの付着により反射光強度が著しく低下している光ディスク上の領域を光スポットが通過するために、ＲＦ信号Ｓrfの全体の振幅が小さくなっている。図７ｂに示すように、トップホールド信号Ｓthとボトムホールド信号Ｓbhは、ピークホールド回路１０１およびピークホールド回路１０３のドループレートが遅いために期間Ｔ２においてもほぼ一定の信号レベルに保持されている。このため、これらの信号が分圧回路１０５によって所定の割合に分圧された欠陥検出しきい信号Ｓdtの信号レベルも、期間Ｔ２において一定となっている。反射光強度の低下によって低下するトップエンベロープ信号Ｓteの信号レベルが、この一定の欠陥検出しきい信号Ｓdtを下回ると、図７ｃに示すように欠陥検出信号Ｓdはハイレベル（論理値’１’）となって、光ディスクの欠陥が検出される。
【００１６】
ところで、ＤＶＤにおけるトラックピッチは０．７４μｍであり、ＣＤにおける１．６μｍと比べて半分以下になっている。一方、ＤＶＤの再生に用いられるレーザー光の波長は６５０ｎｍであり、ＣＤの７８０ｎｍに対して２０％程度に短くなっているだけなので、トラックピッチに対する光スポット径の比は、ＣＤよりＤＶＤのほうが大きくなっている。しかも、ＤＶＤのピッチ幅は０．３μｍであり、ＣＤにおける０．５μｍの半分よりも幅が広いので、トラックピッチに対するミラー部分の幅の比は、ＣＤよりＤＶＤのほうが狭くなっている。すなわちＤＶＤでは、光スポットがミラー部の中心にある場合においても、隣接するトラックのピッチによって変調される反射光の強度がＣＤに比べて増えるため、ＲＦ信号Ｓrfの振幅が大きくなり、ミラー部とトラック部とのボトムレベルの差が小さくなる。すなわち、ボトムエンベロープ信号Ｓbeの振幅が小さくなる。
【００１７】
図８ａはＣＤのＲＦ信号Ｓrfの波形例を示し、図８ｂはＤＶＤのＲＦ信号Ｓrfの波形例を示している。これらの図に示すように、光スポットがトラックの中心にある場合（オントラック）とミラー部の中心にある場合（オフトラック）とにおけるボトムレベルの差が、ＣＤに比べてＤＶＤは小さくなってしまうため、コンパレータ１０９に比較動作を行わせるための十分なレベル差が得られなくなる場合がある。例えば、ディスク表面に付着する汚れなどによって図６の期間Ｔ１に示すようにＲＦ信号Ｓrf全体の振幅が小さくなった場合、ＤＶＤではミラー検出の感度が著しく悪化してしまい、正常なトラック飛び越し再生が行えなくなる場合がある。すなわち、図５に示すミラー検出回路２００ａでは、ＤＶＤなどのトラックピッチが狭い光ディスクにおいてミラー検出感度が悪化するため、ノイズやディスクの汚れなどによるミラー部分の検出不良が発生しやすくなる問題がある。
【００１８】
ここで、上述した図５のミラー検出回路２００ａの問題点を改善した、他の従来のミラー検出回路について説明する。
図９は、従来のミラー検出回路の他の構成例を示す概略的なブロック図である。
図９に示すミラー検出回路３００は、ローパスフィルタ１０９、利得制御増幅器１１０、利得制御増幅器１１２、キャパシタ１１１、ピークホールド回路１１３、ピークホールド回路１１４、分圧回路１１５、オフセット回路１１６およびコンパレータ１１７を有する。
【００１９】
ローパスフィルタ１０９は、入力したＲＦ信号Ｓrfに含まれる高域の変調成分を除去し、光スポットがトラックを横断する時にトラックとミラー部分とに応じて変動する信号成分を抽出して利得制御増幅器１１０に出力する。
利得制御増幅器１１０は、ローパスフィルタ１０９から出力される信号Ｓ10を所定のゲインで増幅し、キャパシタ１１１に出力する。なお利得制御増幅器１１０のゲインは、図示しない光ディスク種別の判別回路によって判別される光ディスクの種類に応じて設定される。
【００２０】
キャパシタ１１１は、利得制御増幅器１１０から出力される信号の直流成分をカットし、交流成分を利得制御増幅器１１２に出力する
利得制御増幅器１１２は、直流成分がカットされた利得制御増幅器１１０の出力信号を所定のゲインで増幅し、コンパレータ１１７、ピークホールド回路１１３およびピークホールド回路１１４に出力する。なお、利得制御増幅器１１２のゲインは、上述の光ディスク種別の判別回路によって判別される光ディスクの種類に応じて設定される。
【００２１】
ピークホールド回路１１３は、利得制御増幅器１１２から出力される信号Ｓ11のトップレベルを所定のドループレートで保持し、分圧回路１１５に出力する。
ピークホールド回路１１４は、利得制御増幅器１１２から出力される信号Ｓ11のボトムレベルを所定のドループレートで保持し、分圧回路１１５に出力する。
分圧回路１１５は、ピークホールド回路１１３で保持された信号Ｓ11のトップレベルの信号Ｓ12と、ピークホールド回路１１４で保持された信号Ｓ11のボトムレベルの信号Ｓ13とを所定の割合で分圧し、この分圧された信号をオフセット回路１１６に出力する。
オフセット回路１１６は、分圧回路１１５からの分圧信号に所定のオフセットを与えたミラー検出しきい信号Ｓ14をコンパレータ１１７に出力する。
【００２２】
コンパレータ１１７は、利得制御増幅器１１２の出力信号Ｓ11とオフセット回路からのミラー検出しきい信号Ｓ14とを比較して、出力信号Ｓ11がミラー検出しきい信号Ｓ14を上回る場合にハイレベルのミラー検出信号Ｓmを出力し、下回る場合にローレベルのミラー検出信号Ｓmを出力する。
【００２３】
次に、上述した構成を有する図９のミラー検出回路３００の動作について説明する。
図１０は、図９に示すミラー検出回路３００の動作を説明するための波形図である。図の縦軸は信号レベルを、横軸は時間をそれぞれ示す。
【００２４】
図１０ａはローパスフィルタ１０９に入力されるＲＦ信号Ｓrfの波形例を示しており、図１０ｂは、このＲＦ信号Ｓrfに含まれる高域の変調成分がローパスフィルタ１０９において除去された信号Ｓ10の波形を示している。信号Ｓ10は、利得制御増幅器１１０において増幅された後、キャパシタ１１１によって直流成分がカットされて利得制御増幅器１１２に入力される。
【００２５】
図１０ｃは、利得制御増幅器１１２から出力される信号Ｓ11のトップレベルが保持された信号Ｓ12、ボトムレベルが保持された信号Ｓ13、およびこのトップレベル信号Ｓ12とボトムレベル信号Ｓ13とが分圧回路で分圧されたミラー検出しきい信号Ｓ14の波形を示している。図１０ｄに示すように、ミラー検出信号Ｓmは、信号Ｓ11のレベルがミラー検出しきい信号Ｓ14のレベルを上回る場合にハイレベルとなり、下回る場合にローレベルとなる。
【００２６】
図９に示すミラー検出回路３００では、ＲＦ信号Ｓrfに含まれるトラックとミラー部分に応じた振幅変動が、利得制御増幅器１１０および利得制御増幅器１１２によって適切なレベルまで増幅可能であり、終段のコンパレータに入力される信号のレベル差を大きくすることができる。これにより、図５に示すミラー検出回路２００ａに比べてミラー検出の感度を向上させることができる。
【００２７】
しかしながら、図９に示すミラー検出回路３００には、以下のような問題がある。
図１１は、図９に示すミラー検出回路３００の問題点を説明するための波形図である。
図１１ａは、入力されるＲＦ信号Ｓrfの波形の例を示す図であり、ボトムレベルにおけるトラックとミラー部分に応じた振幅成分とは別の振動成分が、ＲＦ信号Ｓrfのトップレベルに現れている。この波形例ように、ボトムレベルの振動成分と近い周波数成分でトップレベルが振動していると、ローパスフィルタ１０９から出力される信号Ｓ10は、ミラー検出に不要なトップレベルの信号成分がボトムレベルの振動成分に重畳された信号になってしまう。これにより、ミラー部分の検出不良が発生しやすくなる問題がある。
【００２８】
また図１１ｂは、１トラックだけの単発の飛び越し動作が行われる場合の利得制御増幅器１１２の出力信号Ｓ11、トップホールド信号Ｓ12、ボトムホールド信号Ｓ13およびミラー検出しきい信号Ｓ14の各波形を示している。この図１１ｂに示すように、単発の飛び越し動作が行われる場合、その初期においてピークホールド回路１１３およびピークホールド回路１１４に保持される信号レベルはまだボトムレベルにあるため、ミラー検出しきい信号Ｓ14が定常状態に立ち上がる前の時刻ｔ１において、信号Ｓ11のレベルがミラー検出しきい信号Ｓ14を上回り、図１１ｃに示すようにミラー検出信号Ｓmがハイレベルに立ち上がっている。
一方、複数トラックにまたがる飛び越し動作が行われる場合には、定常状態まで立ち上がったミラー検出しきい信号Ｓ14を信号Ｓ11が上回る時刻ｔ２において、図１１ｄに示すようにミラー検出信号Ｓm’が立ち上がる。このため、単発の飛び越し動作が行われる場合は、複数トラックにまたがる飛び越し動作が行われる場合に比べて、ミラー検出信号Ｓmが早く立ち上がってしまう問題がある。ミラー検出信号Ｓmは、トラック数の計数だけでなく、目的のトラック上で光ピックアップの移動にブレーキをかけて停止させる制御にも使用されているため、このようなミラー検出信号Ｓmの検出誤差がブレーキ制御に影響をあたえて、目的のトラックに光ピックアップを停止できない不具合を発生させることもある。
【００２９】
本発明はかかる事情に鑑みてなされたものであり、その目的は、光記録媒体の種類に依らずミラー部を安定に検出することができるミラー検出信号生成回路を提供することにある。
【００３０】
【課題を解決するための手段】
上記目的を達成するため、本発明のミラー検出信号生成回路は、媒体からの反射光に応じたＲＦ信号からミラー検出信号を生成するミラー検出信号生成回路であって、上記ＲＦ信号のボトムレベルを第１の減衰速度で保持してボトム保持信号を出力する第１のピーク保持回路と、上記ＲＦ信号のトップレベルを第２の減衰速度で保持して第１のエンベロープ信号を出力する第２のピーク保持回路と、上記ＲＦ信号のボトムレベルを第３の減衰速度で保持して第２のエンベロープ信号を出力する第３のピーク保持回路と、媒体の種類に応じた増幅率で増幅する第１の増幅器を含み、上記ボトム保持信号と上記第１のエンベロープ信号とに基づいて生成した第１の基準信号を出力する第１の基準信号生成回路と、上記第２のエンベロープ信号を媒体の種類に応じた増幅率で増幅する第２の増幅器と、上記第１の増幅器から供給される上記第１の基準信号と上記第２の増幅器から供給される上記第２のエンベロープ信号とを比較してミラー検出信号を生成する第１の比較回路とを有する。
【００３１】
好適には、上記第１の基準信号生成回路が上記ボトム保持信号と上記第１のエンベロープ信号との分圧電圧を生成して上記第１の増幅器に供給する第１の分圧回路を更に含む。また、上記第１の基準信号生成回路が上記第１の増幅器の出力信号に所定のオフセット電圧を与えるオフセット回路を更に含む。更に、本発明のミラー検出信号生成回路は、上記第２のエンベロープ信号に対して所定の信号処理を施して上記第２の増幅器に供給するフィルタを更に有する。
【００３２】
また、本発明のミラー検出信号生成回路は、上記ＲＦ信号のトップレベルを第４の減衰速度で保持してトップ保持信号を出力する第４のピーク保持回路と、媒体の種類に応じた増幅率で増幅する第３の増幅器を含み、上記トップ保持信号と上記ボトム保持信号とに基づいて生成した第２の基準信号を出力する第２の基準信号生成回路と、上記第１のエンベロープ信号を媒体の種類に応じた増幅率で増幅する第４の増幅器と、上記第３の増幅器から供給される上記第２の基準信号と上記第４の増幅器から供給される上記第１のエンベロープ信号とを比較して欠陥検出信号を生成する第２の比較回路とを更に有する。
【００３３】
また、好適には、上記第２の基準信号生成回路が上記トップ保持信号と上記ボトム保持信号との分圧電圧を生成して上記第３の増幅器に供給する第２の分圧回路を更に含む。更には、本発明のミラー検出信号生成回路は、好適には、上記欠陥検出信号が出力されると上記第１の減衰速度が速められる。
【００３４】
【発明の実施の形態】
以下、本発明の実施形態について、図１〜図４を参照して説明する。
図１は、本発明の実施形態に係る光ディスク再生装置の概略的なブロック図である。
図１に示す光ディスク再生装置１０は、ディスクモータ２、ヘッド部３、ＲＦ信号処理部４、再生部５、サーボ制御部６およびシステム制御部７を有する。
【００３５】
ディスクモータ２は、装填されるＣＤやＤＶＤなどの光ディスク１を保持し、サーボ制御部６からの制御に応じた回転速度で光ディスク１を回転させる。
ヘッド部３は、各種の光ディスク１に照射されるレーザー光の発振器、レーザー光の照射と受光を行う光学系、光学系で受光した光を検出して電気信号に変換する光検出器、光検出器からの信号を増幅するＲＦ信号増幅器、増幅されたＲＦ信号からフォーカスエラー信号やトラッキングエラー信号を生成してサーボ制御部６に出力する回路などを備えている。これにより、光ディスク１に対するレーザ光の照射と反射光の受光、受光した光のＲＦ信号への変換、変換されたＲＦ信号の増幅、増幅されたＲＦ信号からフォーカスエラー信号やトラッキングエラー信号などサーボ制御に使用される信号の生成などを行なう。また、サーボ制御部６からの制御信号に応じてレーザー光の照射方向やディスクの径方向に光学系を移動させるアクチュエータなどを備えており、これにより、光ディスク１の所望の位置にレーザ光を照射して、その反射光を受光する。
【００３６】
ＲＦ信号処理部４は、ヘッド部３から入力したＲＦ信号の波形を整形した２値化信号に変換し、これに同期するクロック信号を再生する回路や、ミラー検出回路、ディスクの欠陥検出回路などを有している。これにより、ＲＦ信号の２値化データへの変換、光ディスク１のミラー部や欠陥の検出などを行なう。
【００３７】
再生部５は、ＲＦ信号処理部４において２値化されたデジタル信号を処理して所望の情報を再生するブロックである。例えばＤＶＤプレーヤなどの場合、８−１６方式により変調された２値化データを復調し、これに誤り訂正処理を行なってデータストリームを再生し、さらにこのデータストリームから分離されるオーディオデータや画像データより音声や映像を再生する。
【００３８】
サーボ制御部６は、ディスクモータ２やヘッド部３のアクチュエータを制御することにより、ディスクの回転速度やレーザー光の照射位置を制御する。例えば、ヘッド部３のディスク径方向における位置に応じてディスクの回転速度をサーボ制御し、ディスクの内周側と外周側におけるデータの読み取り速度を一定に制御する。システム制御部７からトラック飛び越し動作の指示が入力された場合には、ヘッド部３をディスク径方向に移動させ、所望のトラックにレーザー光のスポットを移動させる。また、ヘッド部３から入力されるフォーカスエラー信号やトラッキングエラー信号に応じてヘッド部３のアクチュエータをサーボ制御し、レーザー光のフォーカスやトラック走査のずれを補正して、記録データを安定して読み出せる状態に保持する。
【００３９】
システム制御部７は、挿入されるディスクの種別の判別、ＲＦ信号処理部４におけるミラー検出や欠陥検出に関する制御、再生部５における２値化データの再生処理に関する制御、サーボ制御部６によるディスクモータ２やヘッド部３の駆動に関する制御など、システム全体に関する種々の制御を行なう。
【００４０】
上述した構成を有する光ディスク再生装置の動作について説明する。
新たな光ディスク１が装填された場合、記録データの再生が行われる前に、光ディスク１の種類の判別処理が行われる。まず、システム制御部７からフォーカスを走査させる指示がサーボ制御部６に出力され、これによりヘッド部３のフォーカス位置が記録面の垂直方向に走査される。この時のＲＦ信号がＲＦ信号処理部４に入力されてＲＦ信号の振幅の微弱な変動が検出され、システム制御部７に出力される。システム制御部７において、ＲＦ信号の振幅変動が検出される時点のフォーカス位置から、光ディスク１の種別が判別される。これは、光ディスク表面の透明な樹脂層から記録層までの深さがＣＤやＤＶＤなどの光ディスクにおいて異なることを利用する判別方式である。
なお、上述したディスク判別方式は一例に過ぎず、光ディスクの仕様に応じた他の種々の判別方式も適用可能である。例えばディスクの形状によって種別判別が可能な場合には、この形状を検出するセンサを別に設けても良い。
【００４１】
光ディスク１の種別がシステム制御部７によって判別されると、ＲＦ信号処理部４のミラー検出部や欠陥検出部において信号のゲインや検出しきい値、フィルタの周波数特性などが、判別された種別に応じて設定される。この詳細については後述する。
【００４２】
光ディスク１の記録データの読み出し時には、システム制御部７からサーボ制御部６にディスクの回転数やレーザー光スポットの位置、レーザー光のフォーカスなどの設定が出力され、この設定に応じて、ディスクモータ２やヘッド部３のアクチュエータがヘッド部３のフォーカスエラー信号やトラッキングエラー信号を帰還信号としてサーボ制御される。これにより、光ディスク１のトラック上をレーザー光のスポットが安定に走査される。ヘッド部３の光学系において受光されたレーザーの反射光は、光検出回路でＲＦ信号に変換され、さらにＲＦ信号増幅器において増幅された後、ＲＦ信号処理部４に出力される。ＲＦ信号処理部４においてＲＦ信号は波形整形により２値化されて、再生部５において所望の情報に再生される。
【００４３】
トラック飛び越し動作時には、ヘッド部３が飛び越し先のトラックに向かってディスク径方向にスライド移動するようにサーボ制御部６によってアクチュエータが制御される。このとき、ＲＦ信号処理部４のミラー検出回路から出力されるミラー検出信号のパルス数がシステム制御部７に計数され、飛び越されたトラックの数が把捉される。この計数結果から、光スポットが目的のトラックに到達したと判断された場合には、ヘッド部３のスライド移動がブレーキ制御されて、目的のトラックの中心に光スポットが照射されるように、ヘッド部３の位置が制御される。
【００４４】
次に、上述したＲＦ信号処理部４に含まれるミラー検出回路および欠陥検出回路について説明する。
図２は、本発明の実施形態に係るミラー検出回路および欠陥検出回路の概略的なブロック図である。
図２に示すミラー検出回路１００ａは、ピークホールド回路１２〜ピークホールド回路１４、分圧回路１６、ローパスフィルタ２１、利得制御増幅器１９および利得制御増幅器２０、オフセット回路２２およびコンパレータ２４を有する。また、図２に示す欠陥検出回路１００ｂは、ピークホールド回路１１、分圧回路１５、利得制御増幅器１７、利得制御増幅器１８およびコンパレータ２３を有し、ピークホールド回路１２およびピークホールド回路１３をミラー検出回路１００ａと共用している。
【００４５】
ピークホールド回路１１〜ピークホールド回路１４は、ヘッド部３の光検出器において電気信号に変換されたＲＦ信号Ｓrfのトップレベルまたはボトムレベルを保持する回路である。ピークホールド回路１１およびピークホールド回路１２はＲＦ信号Ｓrfのトップレベルを保持し、ピークホールド回路１３およびピークホールド回路１４はＲＦ信号Ｓrfのボトムレベルを保持する。
【００４６】
また、各ピークホールド回路のドループレートはピークホールド回路ごとに個別に設定されており、ドループレートの値によって各ピークホールド回路に保持される信号の性質が異なっている。
ピークホールド回路１１は、ＲＦ信号Ｓrfのトップレベルを一定に保持するために比較的遅いドループレートが設定されており、例えば１[msec/V]程度のドループレートが設定されている。また、生成したトップホールド信号Ｓthを分圧回路１５に出力する。
ピークホールド回路１２は、ＲＦ信号Ｓrfのトップレベルが描くエンベロープに応じた信号を出力するために、ピークホールド回路１１より速いドループレートが設定されており、例えば１００[usec/V]程度のドループレートが設定されている。また、生成したトップエンベロープ信号Ｓteを分圧回路１６および利得制御増幅器１８に出力する。
ピークホールド回路１３は、ＲＦ信号Ｓrfのボトムレベルを一定に保持するために比較的遅いドループレートが設定されており、例えばピークホールド回路１１よりも遅い１０[msec/V]程度のドループレートが設定されている。また、生成したボトムホールド信号Ｓbhを分圧回路１６に出力する。
ピークホールド回路１４は、ＲＦ信号Ｓrfのボトムレベルが描くエンベロープに応じた信号を出力するために、ピークホールド回路１２やピークホールド回路１３より速いドループレートが設定されており、例えば１０[usec/V]程度のドループレートが設定されている。また、生成したボトムエンベロープ信号Ｓbeをローパスフィルタ２１に出力する。
【００４７】
なお、ピークホールド回路１３は、システム制御部７からのドループレート設定信号Ｓc5に応じてドループレートが変化する。このドループレートは、後述する光ディスクの欠陥検出時において通常と比べて高速化され、これによりボトムレベルの急変に対するホールド信号の応答が速められる。
また、その他のピークホールド回路についても、システム制御部７からの制御によってドループレートを変化させても良い。これにより、例えば判別された光ディスク１の種類や再生速度などの諸条件に応じた適切なドループレートを各ピークホールド回路に設定できる。
【００４８】
ローパスフィルタ２１は、ピークホールド回路１４から出力されるボトムエンベロープ信号Ｓbeに含まれる高域のノイズ成分を除去するフィルタである。また、システム制御部７からの制御により、例えば光ディスク１の種類や再生速度などの再生条件に応じて周波数帯域を変化させても良い。これにより、ノイズ成分の除去とエンベロープ信号の応答速度とのトレードオフ関係を適切に設定できる。
【００４９】
分圧回路１５は、ピークホールド回路１１から出力されるトップホールド信号Ｓthとピークホールド回路１３から出力されるボトムホールド信号Ｓbhとを所定の割合で分圧した信号を、利得制御増幅器１７に出力する。また、システム制御部７からの分圧比設定信号Ｓc6に応じて分圧比が変化する。この分圧比は、判別された光ディスク１の種類毎に設定される。
分圧回路１６は、ピークホールド回路１２から出力されるのトップエンベロープ信号Ｓteとピークホールド回路１３から出力されるボトムホールド信号Ｓbhとを所定の割合で分圧した信号を、利得制御増幅器１９に出力する。また、システム制御部７からの分圧比設定信号Ｓc7に応じて分圧比が変化する。この分圧比は、判別された光ディスク１の種類毎に設定される。
【００５０】
利得制御増幅器１７は、分圧回路１５から出力される分圧信号Ｓ1を、システム制御部７からの利得設定信号Ｓc1に応じたゲインで増幅し、これを欠陥検出しきい信号Ｓdtとしてコンパレータ２３の正側端子に入力する。
利得制御増幅器１８は、ピークホールド回路１２から出力されるトップエンベロープ信号Ｓteを、システム制御部７からの利得設定信号Ｓc2に応じたゲインで増幅し、コンパレータ２３の負側端子に入力する。
利得制御増幅器１９は、分圧回路１６から出力される分圧信号Ｓ2を、システム制御部７からの利得設定信号Ｓc3に応じたゲインで増幅し、オフセット回路２２に入力する。
利得制御増幅器２０は、ローパスフィルタ２１から出力されるボトムレベルのエンベロープ信号Ｓ3を、システム制御部７からの利得制御信号Ｓc4に応じたゲインで増幅し、コンパレータ２４の正側端子に出力する。
【００５１】
なお、通常の場合、利得制御増幅器１９および利得制御増幅器２０は同一のゲインに設定され、利得制御増幅器１７および利得制御増幅器１８についても同一のゲインに設定されるが、これらのゲインを適宜異なる値に設定しても良い。
【００５２】
オフセット回路２２は、利得制御増幅器１９から出力される分圧信号に所定のオフセットを付加し、これをミラー検出しきい信号Ｓmtとしてコンパレータ２４の負側端子に入力する。
【００５３】
コンパレータ２３およびコンパレータ２４は、正側端子に入力される信号レベルと負側レベルに入力される信号レベルの大きさを比較し、正側端子の信号レベルが負側端子に比べて大きい場合に論理値’１’の信号を出力し、小さい場合に論理値’０’を出力する。
コンパレータ２３は、利得制御増幅器１８で増幅されたトップエンベロープ信号Ｓ５のレベルが欠陥検出しきい信号Ｓdtよりも小さくなった場合に、欠陥の検出を知らせる論理値’１’の欠陥検出信号Ｓdを出力する。
コンパレータ２４は、利得制御増幅器２０で増幅されたボトムレベルのエンベロープ信号Ｓ4のレベルがミラー検出しきい信号Ｓmtよりも大きい場合に、ミラー部分の検出を知らせる論理値’１’のミラー検出信号Ｓmを出力する。
【００５４】
上述した構成を有するミラー検出回路１００ａおよび欠陥検出回路１００ｂの動作について説明する。
ミラー検出回路１００ａでは、ＲＦ信号Ｓrfのトップエンベロープ信号Ｓteとボトムホールド信号Ｓbhとが分圧回路１６において分圧され、これらの信号間の所定割合の信号レベルを有する分圧信号Ｓ2が生成される。この分圧信号Ｓ2は、利得制御増幅器１９において光ディスク１の種類に応じたゲインで増幅された後、オフセット回路２２において所定のオフセットを付加され、ミラー検出しきい信号Ｓmtとしてコンパレータ２４の負側端子に入力される。一方、ＲＦ信号Ｓrfのボトムエンベロープ信号Ｓbeは、ローパスフィルタ２１で高域のノイズ成分を除去され、利得制御増幅器２０において光ディスク１の種類に応じたゲインで増幅された後、コンパレータ２４の正側端子に入力される。この増幅されたボトムエンベロープ信号Ｓ4のレベルがミラー検出しきい信号Ｓmtを上回った場合、ミラー部の検出を知らせる論理値’１’のミラー検出信号Ｓmがコンパレータ２４から出力される。
【００５５】
欠陥検出回路１００ｂでは、ＲＦ信号Ｓrfのトップホールド信号Ｓthとボトムホールド信号Ｓbhとが分圧回路１５において分圧され、これらの信号間の所定の割合の信号レベルを有する分圧信号Ｓ1が生成される。この分圧信号Ｓ1は利得制御増幅器１７において光ディスク１の種類に応じたゲインで増幅された後、欠陥検出しきい信号Ｓdtとしてコンパレータ２３の正側端子に入力される。一方、ＲＦ信号Ｓrfのトップエンベロープ信号Ｓteは、利得制御増幅器１８において光ディスク１の種類に応じたゲインで増幅された後、コンパレータ２３の負側端子に入力される。この増幅されたトップエンベロープ信号Ｓ5が欠陥検出しきい信号Ｓdtを下回った場合、光ディスク１の欠陥の検出を知らせる論理値’１’の欠陥検出信号Ｓdがコンパレータ２３から出力される。
【００５６】
指紋などの汚れによって反射光強度が低下している光ディスク上の領域を光スポットが通過する場合、ＲＦ信号Ｓrfの全体の振幅が小さくなるが、このときトップエンベロープ信号Ｓte、ボトムエンベロープ信号Ｓbeの振幅が相対的に同じ割合で小さくなるため、ミラー検出しきい信号Ｓmtの信号レベルも同様の割合で小さくなる。すなわち、汚れによる反射光強度の低下によってボトムレベルのエンベロープ信号の振幅が小さくなる場合にも、この振幅減少と同様な割合でミラー検出しきい信号Ｓmtのレベルが小さくなってミラー検出が可能になるので、ディスク面の汚れに対するミラー検出感度の低下が抑えられ、安定したミラー検出が可能になる。
同様に、欠陥検出回路１００ｂにおいても、ディスク表面の汚れ等によってＲＦ信号Ｓrfの全体の振幅が小さくなる場合、これに応じてトップホールド信号Ｓthおよびトップエンベロープ信号Ｓteのレベルが相対的に同じ割合で小さくなるので、欠陥が検出される相対的なしきいレベルの変動が抑えられ、安定した欠陥検出が可能になる。
【００５７】
さらに、分圧信号Ｓ2およびボトムエンベロープ信号Ｓ3が光ディスク１の種別に応じたゲインで増幅されるため、例えばＣＤに対するＤＶＤのようにボトムエンベロープ信号Ｓ3のレベルが相対的に小さい光ディスクにおいて飛び越し再生が行われる場合にも、利得制御増幅器１９および利得制御増幅器２０のゲインを大きく設定してコンパレータ２４に入力される信号レベル差の減少を抑えることができるので、ミラー部の検出感度の低下が抑えられ、安定したミラー検出が可能になる。
同様に、欠陥検出回路１００ｂにおいても、分圧信号Ｓ1およびトップエンベロープ信号Ｓteが光ディスク１の種別に応じたゲインで増幅されるので、例えば相対的にＲＦ信号Ｓrfの振幅が小さい光ディスクにおいても安定した欠陥検出が可能になる。
【００５８】
また、欠陥検出回路１００ｂにおいて欠陥検出信号Ｓdが論理値’１’となった場合には、これを検出したシステム制御部７によってピークホールド回路１３のドループレートを通常の値より高速化させるドループレート設定信号Ｓc5が出力される。このドループレート設定信号Ｓc5により、欠陥検出信号Ｓdが論理値’１’となる期間においてピークホールド回路１３のドループレートが高速化される。
【００５９】
図３は、光ディスクの欠陥部分におけるボトムホールド信号Ｓbhを示す波形図である。図の縦軸は信号レベルを、横軸は時間をそれぞれ示す。
図３ａは光ディスクの欠陥領域を光スポットが通過した時のＲＦ信号Ｓrfおよび分圧信号Ｓ1の波形を示し、図３ｂはこの欠陥に応じて論理値’０’から論理値’１’に変化する欠陥検出信号Ｓdの波形を示している。また図３ｃは、ピークホールド回路１３のドループレートが高速化された場合のボトムホールド信号Ｓbh、分圧信号Ｓ2およびボトムエンベロープ信号Ｓ3の波形と、ドループレートが高速化されない場合のボトムホールド信号Ｓbh’の波形とを比較させて示している。
図３ａに示すように、光ディスク上の欠陥や付着物等により反射光強度が大幅に低下して、ＲＦ信号Ｓrfのトップレベルが通常状態のボトムレベルより低下してしまう場合、通常状態のままの遅いドループレートで保持されるボトムホールド信号Ｓbh’は図３ｃに示すように欠陥検出後も欠陥検出時のレベルを保持したままになる。このため、ミラー検出しきい信号Ｓmtのレベルが低下したままとなり、正常なミラー検出ができなくなってしまう。これに対し図２に示すミラー検出回路１００ａでは、欠陥検出信号Ｓdが論理値’1'になった場合にピークホールド回路１３のドループレートを高速化させるので、図３ｃに示すように、ミラー検出しきい信号Ｓmtは欠陥検出信号Ｓdが論理値’０’に戻ったあとで速やかに通常状態のレベルに戻る。したがって、欠陥検出後におけるミラー検出の動作不能状態を最小限に抑えることができる。
【００６０】
また、図２に示すミラー検出回路１００ａにおいては、ローパスフィルタ２１によってボトムエンベロープ信号Ｓbeに含まれるミラー検出に不要なノイズ成分が除去されるので、例えば同一データが長く連続して記録されたトラックが隣接している場合に発生するノイズ成分によるミラー検出信号Ｓmのグリッチを除去できる。
【００６１】
図４は、値’１’または値’０’が連続する隣接したトラックを光スポットが横断するときに発生するＲＦ信号Ｓrfのノイズを示す波形図である。例えば隣接するトラック上にピット部分が連続する場合、このピット部分による反射光の減少により、ボトムエンベロープのピーク位置Ｐ１に示すようなボトムレベル方向へのグリッチが発生する。また、隣接するトラック上にピットの無い部分、すなわちミラー部分が連続する場合には、このミラー部分による反射光の増大により、ボトムエンベロープのピーク位置Ｐ２に示すようなトップレベル方向へのグリッチが発生する。図２に示すミラー検出回路１００ａにおいては、このようなノイズ成分がローパスフィルタ２１によって有効に除去されるので、安定したミラー検出が可能となる。
【００６２】
以上説明したように、図２に示すミラー検出回路１００ａによれば、ピークホールド回路１３において、ＲＦ信号Ｓrfのボトムレベルが第１のドループレートで保持され、ボトムホールド信号Ｓbhが出力される。ピークホールド回路１２においては、ＲＦ信号Ｓrfのトップレベルが第１のドループレートよりも速い第２のドループレートで保持され、トップエンベロープ信号Ｓteが出力される。ピークホールド回路１４においては、ＲＦ信号Ｓrfのボトムレベルが第２のドループレートより速い第３のドループレートで保持され、ボトムエンベロープ信号Ｓbeが出力される。分圧回路１６においては、ボトムホールド信号Ｓbhとトップエンベロープ信号Ｓteとが所定の割合で分圧され、分圧信号Ｓ2が出力される。利得制御増幅器１９においては、分圧信号Ｓ2が、システム制御部７から入力されるゲイン設定信号Ｓc3に応じた第１のゲインで増幅される。利得制御増幅器２０においては、ボトムエンベロープ信号Ｓbeが、システム制御部７から入力されるゲイン設定信号Ｓc4に応じた第２のゲインで増幅される。分圧信号Ｓ2が利得制御増幅器１９において増幅されてオフセットを付加されたミラー検出しきい信号Ｓmtと、利得制御増幅器２０において増幅されたボトムエンベロープ信号Ｓ4とがコンパレータ２４において比較され、この比較結果に応じたミラー検出信号Ｓmが出力される。
したがって、ＣＤに対するＤＶＤのようにオントラック時とオフトラック時におけるＲＦ信号のレベル差が相対的に小さい光ディスクのトラック飛び越し動作において、ノイズなどによるミラー検出の動作不良が抑止される。これにより、図１に示す光ディスク再生装置において、飛び越し再生や検索などにおけるトラック飛び越し動作の安定性が向上する。
【００６３】
また、ボトムエンベロープ信号Ｓbeに含まれるノイズ成分を除去するローパスフィルタ２１により、例えば図４に示すようなノイズや、ピットの反射によって変調された高域の信号成分によるノイズなど、ミラー検出に不要なノイズ成分が除去されるので、ミラー検出の動作不良が抑止され、飛び越し再生や検索などにおけるトラック飛び越し動作の安定性が向上する。
【００６４】
また、ピークホールド回路１１において、ＲＦ信号Ｓrfのトップレベルが、第１のドループレートよりも速く、第２のドループレートよりも遅い第４のドループレートで保持され、トップホールド信号Ｓthが出力される。分圧回路１５においては、ボトムホールド信号Ｓbhとトップホールド信号Ｓthとが所定の割合で分圧され、分圧信号Ｓ1が出力される。この分圧信号Ｓ1の増幅信号とトップエンベロープ信号Ｓteの増幅信号とがコンパレータ２３において比較され、比較結果に応じた欠陥検出信号Ｓdが出力される。この欠陥検出信号Ｓdに応じて、ピークホールド回路１３のドループレートが第１のドループレートより速い所定のドループレートに可変される。
したがって、傷や付着物等による光ディスク上の欠陥検出後におけるボトムホールド信号Ｓbhが欠陥検出時のままのレベルに保持されることが防止され、欠陥検出後のミラー検出動作の不良期間が最小限に抑えられる。
【００６５】
図９に示す従来のミラー検出回路３００のように、トップレベルに発生する振動成分によってミラー検出動作に不良が発生することがないため、図９の従来回路と比べて安定したミラー検出が可能となる。
また、トラックだけの単発の飛び越し動作時においてミラー検出しきい信号Ｓmtが過渡的に変動することはなく、複数トラックの飛び越し動作における定常レベルと変わらないので、図９のミラー検出回路３００のように単発のトラック飛び越し動作時のミラー検出信号Ｓmに誤差を生じない。これにより、例えばミラー検出信号Ｓmを使用したヘッド部３のブレーキ制御を安定に行うことができる。
また、本発明においては、ピークホールド回路１１，１２，１３，１４とコンパレータ２３，２４の入力端子との間に増幅器を設けて各信号を増幅しているので、欠陥検出信号及びミラー検出信号を安定に検出することができる。ピークホールド回路１１，１２，１３，１４の前段に増幅器を設ける場合にはダイナミックレンジを大きくする必要があるが、本発明のような構成とすることにより、その必要はない。
【００６６】
なお、本発明は上述した実施形態に限定されない。
例えば、ピークホールド回路１３のドループレートを高速なレートに切り換えるための欠陥検出回路は、図２に示した構成に限定されず、他の種々の構成でも良い。
また、ピークホールド回路１１〜ピークホールド回路１４のドループレート、分圧回路１５および分圧回路１６の分圧比、利得制御増幅器１７〜利得制御増幅器２０のゲイン、ローパスフィルタ２１の帯域特性、オフセット回路２２により付加されるオフセット、コンパレータ２３およびコンパレータ２４のオフセットやヒステリシス特性は、いずれもシステム制御部７によって、例えば光ディスクの種別などに応じて可変可能な構成にしても良く、あるいはその何れか一部を固定値として設定しても良い。
【００６７】
【発明の効果】
本発明のミラー検出信号生成回路によれば、光記録媒体の種類に依らずミラー部を安定に検出することができ、１トラックの飛び越し動作を安定に行うことができる。
【図面の簡単な説明】
【図１】本発明の実施形態に係る光ディスク再生装置の概略的なブロック図である。
【図２】本発明の実施形態に係るミラー検出回路および欠陥検出回路の概略的なブロック図である。
【図３】、光ディスクの欠陥部分におけるボトムホールド信号を示す波形図である。
【図４】値’１’または値’０’が連続する隣接したトラックを光スポットが横断するときに発生するＲＦ信号のノイズを示す波形図である。
【図５】従来のミラー検出回路および欠陥検出回路の一構成例を示す概略的なブロック図である。
【図６】図５に示すミラー検出回路の動作を説明するための波形図である。
【図７】図５に示す欠陥検出回路の動作を説明するための波形図である。
【図８】ＣＤとＤＶＤにおけるＲＦ信号の違いを説明するための波形図である。
【図９】従来のミラー検出回路の一構成例を示す概略的なブロック図である。
【図１０】図９に示すミラー検出回路の動作を説明するための波形図である。
【図１１】図９に示すミラー検出回路の問題点を説明するための波形図である。
【符号の説明】
１…光ディスク、２…ディスクモータ、３…ヘッド部、４…ＲＦ信号処理部、５…再生部、６…サーボ制御部、７…システム制御部、１１〜１４…ピークホールド回路、１５，１６…分圧回路、１７〜２０…利得制御増幅器、２１…ローパスフィルタ、２２…オフセット回路、２３，２４…コンパレータ、１０…光ディスク再生装置、１００ａ…ミラー検出回路、１００ｂ…欠陥検出回路
【図１】
0004475833.tif 000002
【図２】
0004475833.tif 000003
【図３】
0004475833.tif 000004
【図４】
0004475833.tif 000005
【図５】
0004475833.tif 000006
【図６】
0004475833.tif 000007
【図７】
0004475833.tif 000008
【図８】
0004475833.tif 000009
【図９】
0004475833.tif 000010
【図１０】
0004475833.tif 000011
【図１１】
0004475833.tif 000012